(57)【要約】      （修正有）【課題】一回の操作で、衣類をピンチと分離できるピンチハンガー構造を提供する。【解決手段】ピンチハンガー構造はフレーム本体１０と、数個のピンチ２０と、数個の仕切り部３０とを含む。フレーム本体１０は互いに離れる第一フレームバー１１と第二フレームバー１２とがある。該第一フレームバー１１と第二フレームバー１２との間に少なくとも二つの支持支柱１３が固定される。支持支柱１３に共同的に可動遮蔽板１４が組み合わせられる。該可動遮蔽板１４は第二フレームバー１２と隣り合わせとなり、第二フレームバー１２の外側に取っ手１５が設けられる。該取っ手１５の両側の連結棒１５１によって第二フレームバー１２を貫通した後に可動遮蔽板１４と連結することで、取っ手１５を押さえると上述の可動遮蔽板１４が連動されて第一フレームバー１１方向へと平行移動する。ピンチ２０には第一挟み部２０１と第二挟み部２０２とがあり、第一挟み部２０１と第二挟み部２０２との間に弾性部２０３が連結される。【選択図】図２
0003212761.tif 000002
【実用新案登録請求の範囲】
【請求項１】
フレーム本体と、数個のピンチと、数個の仕切り部とを含むピンチハンガー構造であって、
上記フレーム本体は互いに離れる第一フレームバーと第二フレームバーとがあり、上記第一フレームバーと第二フレームバーとの間に少なくとも二つの支持支柱が固定され、上記の支持支柱に共同的に可動遮蔽板が組み合わせられ、上記可動遮蔽板は第二フレームバーと隣り合わせとなり、上記第二フレームバーの外側に取っ手が設けられ、上記取っ手の両側の連結棒によって上記第二フレームバーを貫通した後に上記可動遮蔽板と連結することで、上記取っ手を押さえると上記可動遮蔽板が連動されて上記第一フレームバー方向へと平行移動し、また上記第二フレームバーと相対する上記取っ手が設置された中央部分に握り加力部が設けられ、
上記ピンチには第一挟み部と第二挟み部とがあり、上記第一挟み部と第二挟み部との間に弾性部が連結され、さらにバネにも支えられ、上記第一挟み部と第二挟み部との上方にそれぞれ貫通穴が貫通され、上記二つの貫通穴が位置を合わせることによって、上記ピンチは順番に上記フレーム本体の支持支柱に設けられ、
上記仕切り部は内径が上記支持支柱の外径より大きい筒体であり、上記仕切り部は順番に支持支柱にある二つのピンチの間にそれぞれ設けられ、仕切り部の仕切りを利用して、最も外側にある二つのピンチがそれぞれ第一フレームバーと可動遮蔽板の内面とくっつくことを特徴とするピンチハンガー構造。
【請求項２】
フレーム本体と、数個のピンチと、数個の仕切り部とを含むピンチハンガー構造であって、
上記フレーム本体は互いに離れる第一フレームバーと第二フレームバーとがあり、上記第一フレームバーと第二フレームバーとの間に少なくとも二つの支持支柱が固定され、上記支持支柱に共同的に可動遮蔽板が組み合わせられ、上記可動遮蔽板は第一フレームバーと隣り合わせとなり、上記第二フレームバーの外側に枠型の握り加力部が突出し、握り加力部内に取っ手が設けられ、上記取っ手は制御ワイヤによって第二フレームバーを貫通した後に可動遮蔽板と連結され、取っ手の操作を通して、制御ワイヤが可動遮蔽板を引っ張って第二フレームバーの方向へと平行移動し、
上記ピンチには第一挟み部と第二挟み部とがあり、第一挟み部と第二挟み部との間に弾性部が連結され、さらにバネにも支えられ、上記第一挟み部と第二挟み部との上方にそれぞれ貫通穴が貫通され、上記二つの貫通穴が位置を合わせることによって、上記ピンチは順番に上記支持支柱に設けられ、
上記仕切り部は内径が支持支柱の外径より大きい筒体であり、上記仕切り部は順番に支持支柱にある二つのピンチの間にそれぞれ設けられ、仕切り部の仕切りを利用して、最も外側にある二つのピンチがそれぞれ第二フレームバーと可動遮蔽板とくっつくことを特徴とするピンチハンガー構造。
【請求項３】
上記取っ手の連結棒は上記第二フレームバーを貫通した後に上記可動遮蔽板に固定されることを特徴とする請求項１のピンチハンガー構造。
【請求項４】
上記第一フレームバーに可動遮蔽板に対して引き戻せる復位バネが設けられることを特徴とする請求項２のピンチハンガー構造。
【請求項５】
上記第一フレームバーと第二フレームバーとの上方にそれぞれ耳部が突出し、上記二つの耳部によってフックのある水平棒が固設され、上記フレーム本体は吊るされることを特徴とする請求項１または請求項２のピンチハンガー構造。
【請求項６】
上記支持支柱は四角形の棒であり、上記ピンチの貫通穴は四角形の穴であり、上記四角形の棒と四角形の穴の組み合わせによって、上記ピンチを上記支持支柱に取り付けた後に回転しやすくなることが防止できることを特徴とする請求項１または請求項２のピンチハンガー構造。
【請求項７】
上記バネは上記支持支柱に取り付けられ、さらに上記ピンチの第一挟み部と第二挟み部との間を支える圧縮バネであることを特徴とする請求項１または請求項２のピンチハンガー構造。
【請求項８】
上記バネは上記ピンチの第一挟み部と第二挟み部との間を支えるひねりバネであることを特徴とする請求項１または請求項２のピンチハンガー構造。
【請求項９】
上記第一挟み部に湾曲部がある阻止部を組み立て、上記第二挟み部の両側はそれぞれ切り込み口の設置により、相対する突起の阻止縁が形成され、上記切り込む口は上記阻止部に対して適切に収容することを提供し、さらに湾曲部は上記阻止縁に支えられることで上記第一挟み部と第二挟み部との下方は上記阻止部によって広げられるため、常態において衣類を入れる開口が形成されることを特徴とする請求項１または請求項２のピンチハンガー構造。
【考案の詳細な説明】
【技術分野】
【０００１】
本考案はピンチハンガー構造に関し、特に一回の操作で、干したすべての衣類はピンチと分離できるピンチハンガー構造に関する。
【背景技術】
【０００２】
現在にある従来の円形ピンチハンガー５０の多くは図１３に示されるように支持部５１と、数本のチェーン５２と、フレーム５３と数個のピンチ５４とを含む。その中で、支持部５１の頂面中央にフック５１１が連結され、フック５１１の外側は上述の支持部５１に数個の穿孔５１２が周設される。上述のチェーン５２は該支持部５１の穿孔５１２とフレーム５３との間に接続され、該チェーン５２の引っ張りによって、上述のフレーム５３が吊設される。フレーム５３に数個の位置限定リング５３１が設けられ、該位置限定リング５３１の上 、下リング部にそれぞれ上述のチェーン５２と上述のピンチ５４が選択的に貫設される。ピンチ５４は金属線材によって一体に曲げられて構成され、中央は弾性部５４１となり、両側はそれぞれ押さえ部５４２と挟み部５４３に構成される。
【０００３】
しかし、上述のような従来技術は実際に応用する中において、依然として以下の問題点が存在する。指の押さえによって、ピンチ５４の二つの挟み部５４３が反対方向へ開くように操作できるが、乾いた後の衣類を円形ピンチハンガー５０より取り外す場合、一回干した洗濯物は比較的大量なため、上述の方法で一枚一枚を取り外したら、洗濯物を取り込むのに多くの時間と労力を掛けてしまう恐れがあり、使用上不便である。
【０００４】
従って、上述のような従来のピンチハンガーにおける欠点について研究改良することは実に関係業界が努力して解決すべき目標であるため、本考案者はこれを機に創作の意思を起こし、長年の経験により設計し、多方面に追究しながら試作品をつくり、また多数回にわたる修正改良の結果、本考案を得た。
【考案の概要】
【考案が解決しようとする課題】
【０００５】
本考案が解決しようとする課題は、従来において乾いた後の衣類は一枚一枚で円形ピンチハンガーより取り外すことしかできないため、使用上不便である上、時間と労力を掛けてしまうといった現在技術における上述の欠点を解決し、ピンチハンガー構造を提供する。
【課題を解決するための手段】
【０００６】
本考案のピンチハンガー構造はフレーム本体と、数個のピンチと数個の仕切り部とを含む。その中で、フレーム本体は互いに離れる第一フレームバーと第二フレームバーがある。該第一フレームバーと第二フレームバーとの間に少なくとも二つの支持支柱が固定される。上述の支持支柱に共同的に可動遮蔽板が組み合わせられる。該可動遮蔽板は第二フレームバーと隣り合わせとなり、上述の第二フレームバーの外側に取っ手が設けられる。該取っ手の両側の連結棒によって上述の第二フレームバーを貫通した後に上述の可動遮蔽板と連結することで、上述の取っ手を押さえると上述の可動遮蔽板が連動されて上述の第一フレームバー方向へと平行移動する。また該第二フレームバーと相対する上述の取っ手が設置された中央部分に握り加力部が設けられる。ピンチには第一挟み部と第二挟み部があり、第一挟み部と第二挟み部との間に弾性部が連結される。さらにバネにも支えられて、上述の第一挟み部と第二挟み部との上方にそれぞれ貫通穴が貫通される。該二つの貫通穴が位置を合わせることによって、上述のピンチは順番に上述のフレーム本体の支持支柱に設けられる。仕切り部は内径が上述の支持支柱の外径より大きい筒体であり、該仕切り部は順番に支持支柱にある二つのピンチの間にそれぞれ設けられる。仕切り部の仕切りを利用して、最も外側にある二つのピンチがそれぞれ第一フレームバーと可動遮蔽板の内面とくっつき、これによって、ピンチハンガー構造が得られる。
【０００７】
本考案のピンチハンガー構造は、フレーム本体と、ピンチと仕切り部の組み合わせにより、取っ手を通して操作を提供し、一回の操作で干したすべての衣類を同時に取り外せて、洗濯物の取り込みにおいて時短、省力になり、そして便利である。
【図面の簡単な説明】
【０００８】
【図１】図１は、本考案に係るピンチハンガー構造を示す第一実施例の立体組立図である。
【図２】図２は、本考案に係るピンチハンガー構造を示す第一実施例の立体分解図である。
【図３】図３は、本考案に係るピンチハンガー構造を示す第一実施例の組立断面図である。
【図４】図４は、本考案に係るピンチハンガー構造を示す第一実施例のもう一つの角度の組立断面図である。
【図５】図５は、本考案に係るピンチハンガー構造を示す第一実施例において取っ手を押さえた後の状態図である。
【図６】図６は、本考案に係るピンチハンガー構造を示す第一実施例において取っ手を押さえた後のもう一つの角度の状態図である。
【図７】図７は、本考案に係るピンチハンガー構造を示す第二実施例のピンチの立体分解図である。
【図８】図８は、本考案に係るピンチハンガー構造を示す第二実施例のピンチの操作状態図である。
【図９】図９は、本考案に係るピンチハンガー構造を示す第三実施例の立体組立図である。
【図１０】図１０は、本考案に係るピンチハンガー構造を示す第三実施例の立体分解図である。
【図１１】図１１は、本考案に係るピンチハンガー構造を示す第三実施例において取っ手を引っ張った後の状態図である。
【図１２】図１２は、本考案に係るピンチハンガー構造を示す第三実施例において復位バネと合わせた使用状態図である。
【図１３】図１３は、従来の構造を示す図である。
【考案を実施するための形態】
【０００９】
まず、図１から図４を参照されたい。本考案のピンチハンガー構造は、フレーム本体１０と、数個のピンチ２０と、数個の仕切り部３０とを含む。その中で、フレーム本体１０は互いに離れる第一フレームバー１１と第二フレームバー１２とがある。該第一フレームバー１１と第二フレームバー１２との間に少なくとも二つの支持支柱１３が固定される。上述の支持支柱１３に共同的に可動遮蔽板１４が組み合わせられる。該可動遮蔽板１４は第二フレームバー１２と隣り合わせとなり、上述の第二フレームバー１２の外側に取っ手１５が設けられる。該取っ手１５の両側の連結棒１５１によって上述の第二フレームバー１２を貫通した後に上述の可動遮蔽板１４と連結することで、上述の取っ手１５を押さえると上述の可動遮蔽板１４が連動されて上述の第一フレームバー１１方向へと平行移動する。また該第二フレームバー１２と相対する上述の取っ手１５が設置された中央部分に握り加力部１２１が設けられる。ピンチ２０には第一挟み部２０１と第二挟み部２０２があり、該第一挟み部２０１と第二挟み部２０２との間に弾性部２０３が連結され、さらにバネ２１にも支えらえて、上述の第一挟み部２０１と第二挟み部２０２との上方にそれぞれ貫通穴２０４が貫通される。該二つの貫通穴２０４が位置を合わせることによって、上述のピンチ２０は順番に上述のフレーム本体１０の支持支柱１３に設けられる。仕切り部３０は内径が上述の支持支柱１３の外径より大きい筒体であり、該仕切り部３０は順番に支持支柱１３にある二つのピンチ２０の間にそれぞれ設けられる。仕切り部３０の仕切りを利用して、最も外側にある二つのピンチ２０がそれぞれ第一フレームバー１１と可動遮蔽板１４の内面とくっつく。
【００１０】
実際に使用する時、上述のピンチ２０によって挟んで固定することで各種衣類４０が順番に該ピンチハンガーに干せる。干した後、衣類４０をフレーム本体１０より取り外す時は、指で第二フレームバー１２の握り加力部１２１を引っ掛けた後、そのまま掌で上述の取っ手１５を押さえると該押さえる力を利用して直接に加力し、取っ手１５は可動遮蔽板１４を押して第一フレームバー１１の方向へと平行移動する（同時に図５と図６を参照されたい）。各ピンチ２０の第一挟み部２０１、第二挟み部２０２の上方は同時に可動遮蔽板１４、仕切り部３０と第一フレームバー１１に挟まれて互いに接近することで下方に衣類４０を挟んだ開口は次第に開けられ、挟む力が解放されることでフレーム本体１０にあるすべての衣類４０は一回の操作で同時に取り外せて、洗濯物の取り込みにおいて時短、省力になり、そして便利である。
【００１１】
上述の第一フレームバー１１と第二フレームバー１２の上方にそれぞれ耳部１１１、１２２が突出し、該二つの耳部１１１、１２２によってフック１６１のある水平棒１６が固設され、上述のフレーム本体１０が吊るされる。
【００１２】
上述の耳部１１１、１２２は枠形構造である。
【００１３】
上述の取っ手１５の連結棒１５１は上述の第二フレームバー１２を貫通した後、上述の可動遮蔽板１４に固定される。
【００１４】
上述の支持支柱１３は四角形の棒であり、上述のピンチ２０の貫通穴２０４は四角形の穴である。該四角形の棒と四角形の穴の組み合わせによって、上述のピンチ２０を上述の支持支柱１３に取り付けた後に回転しやすくなることが防止できる。
【００１５】
上述のバネ２１は上述の支持支柱１３に取り付けられ、さらに上述のピンチ２０の第一挟み部２０１と第二挟み部２０２との間を支える圧縮バネである。
【００１６】
上述のバネ２１は上述のピンチ２０の第一挟み部２０１と第二挟み部２０２との間を支えるひねりバネである（同時に図７と図８を参照されたい）。
【００１７】
上述の第一挟み部２０１に湾曲部２２１がある阻止部２２が組み立てられ、上述の第二挟み部２０２の両側はそれぞれ切り込み口２０５の設置により、相対する突起の阻止縁２０６が形成される。該切り込む口２０５は上述の阻止部２２に対して適切に収容することを提供する。さらに湾曲部２２１は上述の阻止縁２０６に支えられることで上述の第一挟み部２０１と第二挟み部２０２の下方は該阻止部２２によって広げられるため、常態において衣類４０を入れる開口が形成される。衣類４０を入れて挟む場合、阻止部２２を下へ下げるだけで、一瞬で挟むことが完成される（同時に図７と図８を参照されたい）。
【００１８】
さらに本考案のもう一つの実施例の図９から図１１を参照されたい。フレーム本体１０と、数個のピンチ２０と、数個の仕切り部３０とを含む。その中、フレーム本体１０は互いに離れる第一フレームバー１１と第二フレームバー１２がある。該第一フレームバー１１と第二フレームバー１２の間に少なくとも二つの支持支柱１３が固定される。上述の支持支柱１３に共同的に可動遮蔽板１４が組み合わせられる。該可動遮蔽板１４は第一フレームバー１１と隣り合わせとなり、上述の第二フレームバー１２の外側に枠形の握り加力部１２１が突出し、握り加力部１２１内に取っ手１５が設けられ、該取っ手１５は制御ワイヤ１５２によって第二フレームバー１２を貫通した後に可動遮蔽板１４と連結される。取っ手１５の操作を通して、制御ワイヤ１５２が可動遮蔽板１４を引っ張って第二フレームバー１２の方向へと平行移動する。ピンチ２０には第一挟み部２０１と第二挟み部２０２があり、第一挟み部２０１と第二挟み部２０２の間に弾性部２０３が連結される。さらにバネ２１にも支えられて、上述の第一挟み部２０１と第二挟み部２０２の上方にそれぞれ貫通穴２０４が貫通される。該二つの貫通穴２０４が位置を合わせることによって、上述のピンチ２０は順番に上述の支持支柱１３に設けられる。仕切り部３０は内径が支持支柱１３の外径より大きい筒体であり、該仕切り部３０は順番に支持支柱１３にある二つのピンチ２０の間にそれぞれ設けられる。仕切り部３０の仕切りを利用して、最も外側にある二つのピンチ２０がそれぞれ第二フレームバー１２と可動遮蔽板１４とくっつく。
【００１９】
実際に使用する時、上述のピンチ２０によって挟んで固定することで各種衣類４０が順番に該ピンチハンガーに干せる。干した後、衣類４０をフレーム本体１０より取り外す時は、掌で握り加力部１２１を押さえ、指で取っ手１５を引っ掛けた後に引き戻し、制御ワイヤ１５２によって可動遮蔽板１４が連動されて第二フレームバー１２の方向へと平行移動する（同時に図１１を参照されたい）。各ピンチ２０の第一挟み部２０１、第二挟み部２０２の上方は同時に可動遮蔽板１４、仕切り部３０と第二フレームバー１２の挟みを受けて互いに接近することで挟む力が解放される。これでフレーム本体１０にあるすべての衣類４０は一回の操作で同時に取り外せて、洗濯物の取り込みにおいて時短、省力になり、そして便利である。
【００２０】
第一フレームバー１１に可動遮蔽板１４に対して引き戻せる復位バネ１７が設けられる（同時に図１２を参照されたい）。
【００２１】
以上の具体的な実施例の構造により、以下の効果が得られる。フレーム本体１０と、ピンチ２０と、仕切り部３０の組み合わせにより、取っ手１５を通して操作を提供し、一回の操作で干したすべての衣類４０を同時に取り外せて、洗濯物の取り込みにおいて時短、省力になり、そして便利である。
以上は、本考案に係る実施例の一部に過ぎないため、本考案の実施範囲を制限するものではない。即ち、本考案の実用新案登録請求の範囲内で行われる変化、修飾なども本考案の範囲に属すべきである。
【符号の説明】
【００２２】
１０        フレーム本体
１１        第一フレームバー
１１１      耳部
１２        第二フレームバー
１２１      握り加力部
１２２      耳部
１３        支持支柱
１４        可動遮蔽板
１５        取っ手
１５１      連結棒
１５２      制御ワイヤ
１６        水平棒
１６１      フック
１７        復位バネ
２０        ピンチ
２０１      第一挟み部
２０２      第二挟み部
２０３      弾性部
２０４      貫通穴
２０５      切り込み口
２０６      阻止縁
２１        バネ
２２        阻止部
２２１      湾曲部
３０        仕切り部
４０        衣類
５０        円形ピンチハンガー
５１        支持部
５１１      フック
５１２      穿孔
５２        チェーン
５３        フレーム
５３１      位置限定リング
５４        ピンチ
５４１      弾性部
５４２      押さえ部
５４３      挟み部
【図１】
0003212761.tif 000003
【図２】
0003212761.tif 000004
【図３】
0003212761.tif 000005
【図４】
0003212761.tif 000006
【図５】
0003212761.tif 000007
【図６】
0003212761.tif 000008
【図７】
0003212761.tif 000009
【図８】
0003212761.tif 000010
【図９】
0003212761.tif 000011
【図１０】
0003212761.tif 000012
【図１１】
0003212761.tif 000013
【図１２】
0003212761.tif 000014
【図１３】
0003212761.tif 000015